(57)【要約】【課題】建築物の設計変更に好適に対応して積算することが可能な積算装置を提供する。【解決手段】積算装置３０は、平面座標において部屋図形の位置及び形状に関する部屋図形データを記憶する部屋図形データ記憶部３２ａと、複数の部屋それぞれに関して、部屋ＩＤデータと、当該部屋の仕様データと、当該仕様の金額データと、を関連付けて記憶する部屋仕様データ記憶部３２ｂと、ユーザによって選択された部屋ＩＤデータを取得する部屋ＩＤデータ取得部３１ａと、選択された部屋ＩＤデータに対応する位置座標に関する位置座標データを取得する位置座標データ取得部３１ｂと、位置座標が部屋図形内に位置するか否かを判定する判定部３３と、位置座標が部屋図形内に位置すると判定された場合に、選択された部屋ＩＤデータに対応する金額データと、部屋図形データに基づいて積算金額を算出する積算金額算出部３４と、を備える。【選択図】図１
2009265917.tif 000002
【特許請求の範囲】
【請求項１】
平面座標において部屋を表す部屋図形の位置及び形状に関する部屋図形データを記憶する部屋図形データ記憶部と、
複数の部屋それぞれに関して、部屋に固有の部屋ＩＤデータと、当該部屋の仕様に関する仕様データと、当該仕様の単位数量あたりの金額に関する金額データと、を関連付けて記憶する部屋仕様データ記憶部と、
ユーザからの入力に基づいて、ユーザによって選択された部屋ＩＤデータを取得する部屋ＩＤデータ取得部と、
ユーザからの入力に基づいて、選択された前記部屋ＩＤデータに対応する位置座標に関する位置座標データを取得する位置座標データ取得部と、
前記部屋図形データと、取得された前記位置座標データと、に基づいて、前記位置座標が前記部屋図形内に位置するか否かを判定する判定部と、
前記位置座標が前記部屋図形内に位置すると判定された場合に、選択された前記部屋ＩＤデータに対応する前記金額データと、前記部屋図形データに基づいて、積算金額を算出する積算金額算出部と、
を備えることを特徴とする積算装置。
【請求項２】
前記積算金額算出部は、前記部屋図形データに基づいて前記部屋図形の数量を算出し、算出された前記数量を用いて前記積算金額を算出する
ことを特徴とする請求項１に記載の積算装置。
【請求項３】
前記部屋図形データは、壁を表す壁線分に関する壁線分データによって構成されており、
ユーザからの入力に基づいて、前記平面座標内において前記壁線分の位置及び長さの少なくとも一方を変更し、変更された前記壁線分に関する壁線分データを前記部屋図形データ記憶部に記憶させる壁線分データ変更部をさらに備える
ことを特徴とする請求項１又は請求項２に記載の積算装置。
【請求項４】
平面座標において部屋を表す部屋図形の位置及び形状に関する部屋図形データを記憶する部屋図形データ記憶部と、複数の部屋それぞれに関して、部屋に固有の部屋ＩＤデータと、当該部屋の仕様に関する仕様データと、当該仕様の単位数量あたりの金額に関する金額データと、を関連付けて記憶する部屋仕様データ記憶部と、を備える積算装置が積算を行う積算方法であって、
ユーザからの入力に基づいて、ユーザによって選択された部屋ＩＤデータと、選択された前記部屋ＩＤデータに対応する位置座標に関する位置座標データを取得するデータ取得ステップと、
前記部屋図形データと、取得された前記位置座標データと、に基づいて、前記位置座標が前記部屋図形内に位置するか否かを判定する判定ステップと、
前記位置座標が前記部屋図形内に位置すると判定された場合に、選択された前記部屋ＩＤデータに対応する前記金額データと、前記部屋図形データに基づいて、積算金額を算出する積算金額算出ステップと、
を含むことを特徴とする積算方法。
【請求項５】
前記積算金額算出ステップにおいて、前記部屋図形データに基づいて前記部屋図形の数量を算出し、算出された前記数量を用いて前記積算金額を算出する
ことを特徴とする請求項４に記載の積算方法。
【請求項６】
コンピュータを、
ユーザからの入力に基づいて、ユーザによって選択された部屋ＩＤデータを取得する部屋ＩＤデータ取得部、
ユーザからの入力に基づいて、選択された前記部屋ＩＤデータに対応する位置座標に関する位置座標データを取得する位置座標データ取得部、
平面座標において部屋を表す部屋図形の位置及び形状に関する部屋図形データを記憶する部屋図形データ記憶部を参照し、前記部屋図形データと、取得された前記位置座標データと、に基づいて、前記位置座標が前記部屋図形内に位置するか否かを判定する判定部、及び、
前記位置座標が前記部屋図形内に位置すると判定された場合に、複数の部屋それぞれに関して、部屋に固有の部屋ＩＤデータと、当該部屋の仕様に関する仕様データと、当該仕様の単位数量あたりの金額に関する金額データと、を関連付けて記憶する部屋仕様データ記憶部を参照し、選択された前記部屋ＩＤデータに対応する前記金額データと、前記部屋図形データに基づいて、積算金額を算出する積算金額算出部、
として機能させることを特徴とする積算プログラム。
【請求項７】
前記積算金額算出部は、前記部屋図形データに基づいて前記部屋図形の数量を算出し、算出された前記数量を用いて前記積算金額を算出する
ことを特徴とする請求項６に記載の積算プログラム。
【請求項８】
前記部屋図形データは、壁を表す壁線分に関する壁線分データによって構成されており、
コンピュータを、
ユーザからの入力に基づいて、前記平面座標内において前記壁線分の位置及び長さの少なくとも一方を変更し、変更された前記壁線分に関する壁線分データを前記部屋図形データ記憶部に記憶させる壁線分データ変更部
としてさらに機能させることを特徴とする請求項６又は請求項７に記載の積算プログラム。
【発明の詳細な説明】
【技術分野】
【０００１】
本発明は、建築工事の積算業務のための積算装置、積算方法及び積算プログラムに関する。
【背景技術】
【０００２】
建築工事の準備段階として、設計図書から見積書を作成する積算業務が行われる。従来の積算手法は、仕様書から部資材、仕上等を一項目ずつ拾い、平面図等から面積、長さ等を拾い、部資材、仕上等の一単位あたりの金額と、面積、長さ等と、に基づいて積算金額を算出するものであった（例えば、非特許文献１参照）。
【非特許文献１】社団法人日本建築学会，「建築学便覧  Ｉ  計画」，第２版，丸善株式会社，昭和５５年２月２５日，ｐ．１６９８−１７３８
【発明の開示】
【発明が解決しようとする課題】
【０００３】
しかし、従来の手法では、建築物が設計変更された場合には、設計変更前の数量等を転用することはできず、数量等を拾う作業を始めからやり直さなければならないという問題がある。
【０００４】
本発明は、前記した問題を解決すべく創案されたものであり、建築物の設計変更に好適に対応して積算することが可能な積算装置、積算方法及び積算プログラムを提供することを課題とする。
【課題を解決するための手段】
【０００５】
前記課題を解決するため、請求項１に記載の発明である積算装置は、平面座標において部屋を表す部屋図形の位置及び形状に関する部屋図形データを記憶する部屋図形データ記憶部と、複数の部屋それぞれに関して、部屋に固有の部屋ＩＤデータと、当該部屋の仕様に関する仕様データと、当該仕様の単位数量あたりの金額に関する金額データと、を関連付けて記憶する部屋仕様データ記憶部と、ユーザからの入力に基づいて、ユーザによって選択された部屋ＩＤデータを取得する部屋ＩＤデータ取得部と、ユーザからの入力に基づいて、選択された前記部屋ＩＤデータに対応する位置座標に関する位置座標データを取得する位置座標データ取得部と、前記部屋図形データと、取得された前記位置座標データと、に基づいて、前記位置座標が前記部屋図形内に位置するか否かを判定する判定部と、前記位置座標が前記部屋図形内に位置すると判定された場合に、選択された前記部屋ＩＤデータに対応する前記金額データと、前記部屋図形データに基づいて、積算金額を算出する積算金額算出部と、を備えることを特徴とする。
【０００６】
また、請求項４に記載の発明である積算方法は、平面座標において部屋を表す部屋図形の位置及び形状に関する部屋図形データを記憶する部屋図形データ記憶部と、複数の部屋それぞれに関して、部屋に固有の部屋ＩＤデータと、当該部屋の仕様に関する仕様データと、当該仕様の単位数量あたりの金額に関する金額データと、を関連付けて記憶する部屋仕様データ記憶部と、を備える積算装置が積算を行う積算方法であって、ユーザからの入力に基づいて、ユーザによって選択された部屋ＩＤデータと、選択された前記部屋ＩＤデータに対応する位置座標に関する位置座標データを取得するデータ取得ステップと、前記部屋図形データと、取得された前記位置座標データと、に基づいて、前記位置座標が前記部屋図形内に位置するか否かを判定する判定ステップと、前記位置座標が前記部屋図形内に位置すると判定された場合に、選択された前記部屋ＩＤデータに対応する前記金額データと、前記部屋図形データに基づいて、積算金額を算出する積算金額算出ステップと、を含むことを特徴とする。
【０００７】
また、請求項６に記載の発明である積算プログラムは、コンピュータを、ユーザからの入力に基づいて、ユーザによって選択された部屋ＩＤデータを取得する部屋ＩＤデータ取得部、ユーザからの入力に基づいて、選択された前記部屋ＩＤデータに対応する位置座標に関する位置座標データを取得する位置座標データ取得部、平面座標において部屋を表す部屋図形の位置及び形状に関する部屋図形データを記憶する部屋図形データ記憶部を参照し、前記部屋図形データと、取得された前記位置座標データと、に基づいて、前記位置座標が前記部屋図形内に位置するか否かを判定する判定部、及び、前記位置座標が前記部屋図形内に位置すると判定された場合に、複数の部屋それぞれに関して、部屋に固有の部屋ＩＤデータと、当該部屋の仕様に関する仕様データと、当該仕様の単位数量あたりの金額に関する金額データと、を関連付けて記憶する部屋仕様データ記憶部を参照し、選択された前記部屋ＩＤデータに対応する前記金額データと、前記部屋図形データに基づいて、積算金額を算出する積算金額算出部、として機能させることを特徴とする。
【０００８】
本発明において、『部屋』は、積算のための仕様の一単位を表す用語であり、通常の部屋（居間、台所等）だけでなく、中庭等も含む概念である。また、本発明において、『部屋ＩＤ』は、文字、記号、数字等からなり、部屋名であってもよく、部屋に固有の数字の列であってもよい。
【０００９】
位置座標データは、当該位置座標データに対応する部屋ＩＤデータに関連付けられた仕様データの仕様が用いられる部屋の位置座標を表すデータであり、位置座標が後記する部屋図形データの部屋図形内にある場合に、その仕様がその部屋に採用されて積算金額が算出される。かかる構成によると、予め設定された複数の部屋に関する仕様の一つと、部屋図形と、をユーザによって入力された位置座標によって関連付けることによって積算金額を算出するので、部屋図形の変更、部屋の仕様変更に対して好適に対応することができる。
【００１０】
また、請求項２に記載の発明は、請求項１に記載の積算装置であって、前記積算金額算出部は、前記部屋図形データに基づいて前記部屋図形の数量を算出し、算出された前記数量を用いて前記積算金額を算出することを特徴とする。
【００１１】
また、請求項５に記載の発明は、請求項４に記載の積算方法であって、前記積算金額算出ステップにおいて、前記部屋図形データに基づいて前記部屋図形の数量を算出し、算出された前記数量を用いて前記積算金額を算出することを特徴とする。
【００１２】
また、請求項７に記載の発明は、請求項６に記載の積算プログラムであって、前記積算金額算出部は、前記部屋図形データに基づいて前記部屋図形の数量を算出し、算出された前記面積を用いて前記積算金額を算出することを特徴とする。
【００１３】
かかる構成によると、ユーザの入力によって部屋図形の数量（例えば、床面積、壁面積、天井面積等）を予め記憶させることなく積算金額を算出することができる。
【００１４】
また、請求項３に記載の発明は、請求項１又は請求項２に記載の積算装置であって、前記部屋図形データは、壁を表す壁線分に関する壁線分データによって構成されており、ユーザからの入力に基づいて、前記平面座標内において前記壁線分の位置及び長さの少なくとも一方を変更し、変更された前記壁線分に関する壁線分データを前記部屋図形データ記憶部に記憶させる壁線分データ変更部をさらに備えることを特徴とする。
【００１５】
また、請求項８に記載の発明は、請求項６又は請求項７に記載の積算プログラムであって、前記部屋図形データは、壁を表す壁線分に関する壁線分データによって構成されており、コンピュータを、ユーザからの入力に基づいて、前記平面座標内において前記壁線分の位置及び長さの少なくとも一方を変更し、変更された前記壁線分に関する壁線分データを前記部屋図形データ記憶部に記憶させる壁線分データ変更部としてさらに機能させることを特徴とする。
【００１６】
かかる構成によると、部屋図形の位置及び形状を容易に変更することができる。
【発明の効果】
【００１７】
本発明によれば、建築物の設計変更に好適に対応して積算することができる。
【発明を実施するための最良の形態】
【００１８】
以下、本発明の実施形態について、適宜図面を参照しながら説明する。同様の部分には同一符号を付し、重複する説明を省略する。
【００１９】
＜積算システム＞
図１は、本発明の実施形態に係る積算装置を備えた積算システムを模式的に示すブロック図である。図１に示すように、本発明の実施形態に係る積算システム１は、入力装置１０と、出力装置２０と、積算装置３０と、を備える。
【００２０】
入力装置１０は、例えばキーボード、マウス等であり、ユーザからの入力に基づく各種の入力データを、積算装置３０に入力させる。出力装置２０は、例えばディスプレイ、プリンタ等であり、積算装置３０による積算金額を出力し、ユーザに提供する。以下の説明において、入力装置１０は、キーボード及びマウスであり、出力装置２０は、ディスプレイであるものとする。入力装置１０としてのマウスは、出力装置２０のＧＵＩ（Graphical User Interface）を用いた入力が可能である。
【００２１】
積算装置３０は、例えば、ＣＰＵ（Central Processing Unit）と、ＲＡＭ（Random Access Memory）、ＲＯＭ（Read-Only Memory）、ディスク等の外部記憶装置と、入出力回路と、から構成されており、入力装置１０からの入力と、外部記憶装置に記憶されたプログラム及びデータに基づいて各演算処理を行うことによって、制御を実行する。図１に示すように、積算装置３０は、機能部として、入力データ取得部３１と、記憶部３２と、判定部３３と、積算金額算出部３４と、表示データ生成部３５と、を備える。
【００２２】
入力データ取得部３１は、入力装置１０を用いたユーザからの入力に基づく各種の入力データを取得する。取得された入力データは、記憶部３２、判定部３３及び表示データ生成部３５のいずれかに出力される。入力データ取得部３１は、部屋ＩＤデータ取得部３１ａと、位置座標データ取得部３１ｂと、を備える。
【００２３】
部屋ＩＤデータ取得部３１ａは、入力装置１０を用いたユーザからの入力に基づいて、ユーザによって選択された部屋ＩＤデータを取得する（データ取得ステップ）。部屋ＩＤデータは、部屋に固有のＩＤを表すデータであり、例えば、部屋名を表すデータである。取得された部屋ＩＤデータは、判定部３３に出力される。
【００２４】
位置座標データ取得部３１ｂは、入力装置１０を用いたユーザからの入力に基づいて、選択された部屋ＩＤデータに対応する位置座標に関する位置座標データを取得する（データ取得ステップ）。位置座標データは、当該位置座標データに対応する部屋ＩＤデータに関連付けられた仕様データの仕様が用いられる部屋の位置座標を表すデータであり、位置座標が後記する部屋図形データの部屋図形内にある場合に、その仕様がその部屋に採用されて積算金額が算出される。取得された位置座標データは、判定部３３に出力される。
【００２５】
記憶部３２は、積算に必要なデータ等を記憶している。記憶部３２に記憶されたデータは、入力データ取得部３１によって取得された入力データによって更新される。記憶部３２は、部屋図形データ記憶部３２ａと、部屋仕様データ記憶部３２ｂと、を備える。
【００２６】
部屋図形データ記憶部３２ａは、平面座標において部屋を表す部屋図形の位置及び形状に関する部屋図形データを記憶する。ここで、部屋図形の形状は、平面図形（伏図）である。また、部屋図形データは、部屋図形の天井高さに関する天井高さデータを含むことも可能である。
【００２７】
また、部屋図形データは、部屋の壁を表す壁線分データによって構成されている。壁線分データは、壁を表す壁線分の両端部の位置座標を含む。
【００２８】
部屋仕様データ記憶部３２ｂは、複数の部屋それぞれに関して、部屋に固有の部屋ＩＤデータと、当該部屋の仕様に関する仕様データと、当該仕様の単位数量あたりの金額（例えば、単位面積あたりの金額、１個あたりの金額等）に関する金額データと、を関連付けて記憶する。部屋ＩＤデータとしては、居間、食堂、台所、Ｌ・Ｄ（リビング・ダイニング）、Ｌ・Ｄ・Ｋ（リビング・ダイニング・キッチン）、Ｄ・Ｋ（ダイニング・キッチン）、主寝室、洋室、書斎、シューズクローク、納戸、クローゼット、小屋居室、和室、広縁、仏間、踏込み、床の間、玄関ホール、ホール、廊下、ユーティリティ、洗面室、便所、洗面・便所、ＵＢ（ユニットバス）浴室、クローク、物入、押入、収納、外部収納、小屋裏収納、ロフト、機械室、カーポート、デッドスペース、中庭等を示すデータが挙げられる。
仕様データとしては、床仕上、壁仕上、天井仕上等を示すデータが挙げられる。また、仕様データは、部屋に特有の仕様（例えば、台所における床下収納庫、ガスコンロ等）を示すデータを含むことができる。金額データとしては、仕様データが部屋に特有の仕様である場合には、当該仕様の１個あたりの金額を示すデータとすることができる。
【００２９】
判定部３３は、部屋図形データ記憶部３２ａに記憶された部屋図形データと、位置座標データ取得部３１ｂによって取得された位置座標データと、に基づいて、当該位置座標が部屋図形内に位置するか否かを判定する（判定ステップ）。判定結果は、積算金額算出部３４に出力される。
【００３０】
本実施形態において、判定部３３は、部屋図形データ記憶部３２ａに記憶された壁線分データに基づいて、当該壁線分データによって形成された図形が閉じた多角形である場合に、この閉じた多角形を部屋図形として認識する。また、判定部３３は、かかる部屋図形をポリライン化し、ポリライン化された部屋図形を用いて、位置座標が部屋図形内に位置するか否かを判定する。
【００３１】
積算金額算出部３４は、判定部３３によって位置座標が部屋図形内に位置すると判定された場合に、記憶部３２内のデータを参照し、ユーザによって選択された部屋ＩＤデータに対応する金額データと、位置座標が内部に位置する部屋図形の部屋図形データと、に基づいて、積算金額を算出する（積算金額算出ステップ）。算出された積算金額は、積算金額データとして表示データ生成部３５に出力される。
【００３２】
また、積算金額算出部３４は、部屋図形データである壁線分データ及び天井高さデータに基づいて、当該部屋図形の床面積、壁面積及び天井面積を算出し、算出された各面積と、部屋仕様データに予め含まれている面積以外の数量と、を用いて積算金額を算出する。本実施形態において、積算金額算出部３４は、判定部３３による判定結果を取得する前に、部屋図形の床面積、壁面積及び天井面積を算出し、数量に固有の数量ＩＤデータと、算出された床面積、壁面積及び天井面積のいずれかの値を表す面積データと、部屋図形に固有の部屋図形ＩＤデータと、を関連付けて部屋図形データ記憶部３２ａに記憶させる。なお、部屋仕様データ記憶部３２ｂに記憶された部屋仕様データは、面積以外の数量データ（例えば、個数）を予め含んでいる。また、部屋仕様データ記憶部３２ｂに記憶された部屋仕様データは、数量ＩＤデータをさらに含んでいる。積算金額を算出する必要がある場合には、積算金額算出部３４は、部屋仕様データ記憶部３２ｂに記憶された積算すべき部屋図形の部屋図形ＩＤデータに対応する数量ＩＤデータを参照して、同一の数量ＩＤデータに関連付けられた金額データ及び数量データを用いて積算金額を算出する。
【００３３】
表示データ生成部３５は、記憶部３２内のデータに基づいて、ユーザによる部屋ＩＤデータ及び位置座標データをＧＵＩを用いて取得可能な画面を出力装置２０に表示させるための表示データを生成する。また、表示データ生成部３５は、積算金額算出部３４による積算金額を出力装置２０に表示させるための表示データを生成する。生成された表示データは、出力装置２０に出力される（通知ステップ）。
【００３４】
また、入力データ取得部３１は、壁線分データ変更部３１ｃをさらに備える。壁線分データ変更部３１ｃは、ユーザからの入力に基づいて、平面座標内において壁線分の位置及び長さの少なくとも一方を変更し、変更された壁線分に関する壁線分データを部屋図形データ記憶部３２ａに記憶させる（壁線分データ変更ステップ）。
【００３５】
＜第一の動作例＞
続いて、本発明の実施形態に係る積算システム１の第一の動作例について、出力装置２０の表示画面の遷移例を用いて説明する。図２〜図４は、本発明の実施形態に係る積算システムの第一の動作例を説明するための出力装置の表示画面である。以下の各表示画面は、積算装置３０の表示データ生成部３５によって生成された表示データによって表示される。表示データ生成部３５は、入力データ取得装置から出力された入力データ、記憶部３２内のデータ及び積算金額算出部３４によって生成された積算金額データを用いて、各表示画面のための表示データを生成する。
【００３６】
図２〜図４に示すように、第一の表示画面は、部屋図形を表示する部屋図形表示領域５１と、複数の部屋の部屋ＩＤ（本実施形態では、部屋名）を表示する部屋ＩＤ表示領域５２と、部屋の仕様、当該仕様の単位数量あたりの金額及び積算金額を表示する仕様表示領域５３と、を備える。部屋図形表示領域５１には、部屋図形５１ａ１〜５１ａ９からなる建築物図形５１ａが表示されている。部屋ＩＤ表示領域５２には、ＧＵＩを用いて操作可能な部屋ＩＤアイコンとして、居間５２ａ、食堂５２ｂ、台所５２ｃ、Ｌ・Ｄ５２ｄ、Ｌ・Ｄ・Ｋ５２ｅ、Ｄ・Ｋ５２ｆ、主寝室５２ｇ、洋室５２ｈ及び書斎５２ｉが表示されている。
【００３７】
まず、図２に示す第一の表示画面が表示されている状態において、ユーザが入力装置１０であるマウスを操作して第一の表示画面上のポインタ（図示せず）を移動させ、台所５２ｃをドラッグすると、積算装置３０の部屋ＩＤデータ取得部３１ａは、台所５２ｃを表す部屋ＩＤデータを取得し、積算装置３０の表示データ生成部３５は、取得された部屋ＩＤデータを用いて部屋仕様データ記憶部３２ｂを参照し、台所５２ｃの仕様を表示するための表示データを生成し、出力装置２０に出力する。その結果、図３に示す第二の表示画面のように、仕様表示領域５３には、台所５２ｃに対応する仕様及び当該仕様の単位数量あたりの金額が表示される。
【００３８】
続いて、ユーザが入力装置１０であるマウスを操作して第二の表示画面上のポインタ（図示せず）を移動させ、台所５２ｃを部屋図形５１ａ１内にドラッグ＆ドロップすると、積算装置３０の位置座標データ取得部３１ｂは、部屋図形表示領域５１内における台所５２ｃの位置座標を表す位置座標データを取得し、積算装置３０の判定部３３は、取得された位置座標データと、部屋図形データ記憶部３２ａに記憶された部屋図形データと、に基づいて、台所５２ｃの位置座標が部屋図形５１ａ１内に位置すると判定し、積算装置３０の積算金額算出部３４は、部屋図形データに基づいて部屋図形５１ａ１の床面積、壁面積及び天井面積を算出するとともに、台所５２ｃに対応する金額データと、算出された各種面積と、に基づいて、積算金額を算出し、積算装置３０の表示データ生成部３５は、部屋図形５１ａ１を台所とした場合の積算金額を表示する表示データを生成し、出力装置２０に出力する。その結果、図４に示す第三の表示画面のように、仕様表示領域５３には、仕様の数量、合計（面積）、積算金額等が表示される。
【００３９】
なお、部屋図形５１ａ１に他の部屋ＩＤ、例えばＬ・Ｄ５２ｄを関連付けたい場合には、ユーザが入力装置１０であるマウスを操作して第三の表示画面上のポインタ（図示せず）を移動させ、台所５２ｃを部屋図形５１ａ１外にドラッグ＆ドロップし、続いて、ユーザが入力装置１０であるマウスを操作して第三の表示画面上のポインタ（図示せず）を移動させ、Ｌ・Ｄ５２ｄを部屋図形５１ａ１内にドラッグ＆ドロップすればよい。
【００４０】
＜第二の動作例＞
続いて、本発明の実施形態に係る積算システム１の第二の動作例について、出力装置２０の表示画面の遷移例を用いて説明する。図５（ａ）〜（ｄ）は、本発明の実施形態に係る積算システムの第二の動作例を説明するための出力装置の表示画面である。
【００４１】
まず、図５（ａ）に示す部屋図形表示領域５１が表示されている状態において、ユーザが入力装置１０であるマウスを操作してポインタＰを移動させ、壁線分５１ｂ１をドラッグすると、図５（ｂ）に示すように、壁線分５１ｂ１がマウスの操作に応じて移動する。
【００４２】
続いて、ユーザが入力装置１０であるマウスを操作してポインタＰを移動させ、壁線分５１ｂ２をダブルクリックすると、図５（ｃ）に示すように、壁線分５１ｂ２の両端部が強調表示される。
【００４３】
続いて、ユーザが入力装置１０であるマウスを操作してポインタＰを移動させ、線分５１ｂ２の一端部をドラッグすると、図５（ｄ）に示すように、壁線分５１ｂ２の長さが調整される。また、線分５１ｂ２と対向する線分５１ｂ３に対しても同様の操作が行われることによって、部屋図形５１ａ４の形状が変更される。変更された部屋図形５１ａ４に関する壁線分５１ｂ１〜５１ｂ３に関する壁線分データは、壁線分データ変更部３１ｃによって取得され、壁線分データ変更部３１ｃは、変更された壁線分データを用いて部屋図形データ記憶部３２ａ内のデータを更新する。
【００４４】
このように壁線分データを更新した状態において、部屋図形５１ａ４に対して図２〜図４を用いて説明した動作を行うと、積算装置３０の積算金額算出部３４が狭くなった部屋図形５１ａ４の面積を算出するので、積算装置３０は、変更されて狭くなった部屋図形５１ａ４についての積算金額を算出することができる。
【００４５】
本発明の実施形態に係る積算システム１は、予め設定された複数の部屋に関する仕様の一つと、部屋図形と、をユーザによって入力された位置座標によって関連付けることによって積算金額を算出するので、部屋図形の変更、部屋の仕様変更に対して好適に対応することができる。かかる積算システム１は、顧客に対するプレゼンテーションに好適に利用可能である。
【００４６】
以上、本発明の実施形態について説明したが、本発明は前記実施形態に限定されず、本発明の要旨を逸脱しない範囲で適宜設計変更可能である。例えば、部屋図形の面積、すなわち床面積、天井面積及び壁面積は、ユーザが入力装置１０であるキーボードを操作して入力することによって予め部屋図形データ記憶部３２ａに記憶された入力データであってもよい。また、同じ種類の部屋に対して、洋風、和風等の様々なバリエーションを持たせた部屋ＩＤ及び仕様データを用いることもできる（例えば、台所１、台所２等）。また、平面座標は、ＸＹ直交座標であってもよく、極座標であってもよい。また、本発明は、コンピュータを前記した積算装置として機能させるプログラムや、当該プログラムを記録した記録媒体として具現化することが可能である。
【図面の簡単な説明】
【００４７】
【図１】本発明の実施形態に係る積算装置を備えた積算システムを模式的に示すブロック図である。
【図２】本発明の実施形態に係る積算システムの第一の動作例を説明するための出力装置の表示画面である。
【図３】本発明の実施形態に係る積算システムの第一の動作例を説明するための出力装置の表示画面である。
【図４】本発明の実施形態に係る積算システムの第一の動作例を説明するための出力装置の表示画面である。
【図５】（ａ）〜（ｄ）は、本発明の実施形態に係る積算システムの第二の動作例を説明するための出力装置の表示画面である。
【符号の説明】
【００４８】
１      積算システム
１０    入力装置
２０    出力装置
３０    積算装置
３１ａ  部屋ＩＤデータ取得部
３１ｂ  位置座標データ取得部
３１ｃ  壁線分データ変更部
３２ａ  部屋図形データ記憶部
３２ｂ  部屋仕様データ記憶部
３３    判定部
３４    積算金額算出部
【図１】
2009265917.tif 000003
【図２】
2009265917.tif 000004
【図３】
2009265917.tif 000005
【図４】
2009265917.tif 000006
【図５】
2009265917.tif 000007